(57)【特許請求の範囲】
【請求項１】
圧縮機構(21)と室外熱交換器(23)と室外ファン(15)とを有する室外ユニット(11)と、室外温度を検出する室外温度センサ(66)と、各機器を制御する運転制御手段(70)とを備えた冷凍装置であって、
運転制御手段(70)は、タイマ(71)を備え、所定の時刻を起点とする略２４時間内に、室外温度センサ(66)で検出した温度が所定の基準温度よりも低い時間帯には運転音を抑制するように構成され、
運転制御手段(70)がマイクロプロセッサにより構成されると共に、タイマ(71)はマイクロプロセッサの発振回路を利用して２４時間を検知可能に構成され、
所定の基準温度は、室外温度センサ(66)の検出温度のデータに基づいて算出された温度である冷凍装置。
【請求項２】
所定の基準温度は、タイマ(71)で検出された２４時間内に室外温度センサ(66)により検出した温度から算出された平均温度である請求項１記載の冷凍装置。
【請求項３】
所定の基準温度は、タイマ(71)で検出された２４時間内に室外温度センサ(66)により検出した最高温度と最低温度とから算出された平均温度である請求項２記載の冷凍装置。
【請求項４】
所定の基準温度は、運転条件に応じた設定温度である請求項１記載の冷凍装置。
【請求項５】
運転制御手段(70)は、室外ファン(15)を制御して運転音を抑制するように構成されている請求項１ないし４の何れか１記載の冷凍装置。
【請求項６】
運転制御手段(70)は、圧縮機構(21)を制御して運転音を抑制するように構成されている請求項１ないし４の何れか１記載の冷凍装置。
【請求項７】
運転制御手段(70)は、室外ファン(15)と圧縮機構(21)とを制御して運転音を抑制するように構成されている請求項１ないし４の何れか１記載の冷凍装置。
【請求項８】
室外ユニット(11)内に複数台の圧縮機(22a,22b) を備えて圧縮機構(21)が構成され、
運転制御手段(70)は、運転音を抑制する制御を行うときに圧縮機(22a,22b) の運転台数を低減するように構成されている請求項６または７記載の冷凍装置。
【請求項９】
運転制御手段(70)は、最低温度の時刻を起点とする２４時間内で、第１の所定時間の経過前と第２の所定時間の経過後に、検出温度が所定の基準温度よりも低い時間帯には運転音を抑制する制御を行うように構成されている請求項１ないし８の何れか１記載の冷凍装置。
【請求項１０】
運転制御手段(70)は、最低温度の時刻を起点として、第１の所定時間が３時間に設定され、第２の所定時間が１４時間に設定されている請求項９記載の冷凍装置。
【請求項１１】
運転制御手段(70)は、最低温度の時刻を起点とする２４時間内で、第１の所定時間の経過前と第２の所定時間の経過後に、検出温度が所定の基準温度よりも低い連続した時間帯には運転音を抑制する制御を行うように構成されている請求項９または１０記載の冷凍装置。
【発明の詳細な説明】
【０００１】
【発明の属する技術分野】
本発明は、冷凍装置に関し、特に、夜間運転時の騒音抑制技術に係るものである。
【０００２】
【従来の技術】
従来より、蒸気圧縮式冷凍サイクルを行う冷凍装置が知られており、室内の冷房などを行う空気調和装置（例えば特開平１０−１３２４０９号公報参照）や、冷蔵庫や冷凍庫の庫内を冷却する冷却装置（例えば特開平１１−２０１５６９号公報参照）等として、幅広く利用されている。具体的に、上記冷凍装置は、冷媒が充填された冷媒回路を備えている。この冷媒回路には、圧縮機、凝縮器、膨張弁及び蒸発器が設けられている。冷媒回路では、冷媒が相変化しつつ循環し、圧縮、凝縮、膨張、蒸発の各行程からなるサイクルを行う。
【０００３】
そして、冷媒が蒸発する際に対象物から吸熱し、これによって対象物の冷却を行う。例えば、上記冷凍装置を冷蔵庫や冷凍庫として用いる場合、蒸発器において冷媒が庫内空気から吸熱することによって庫内空気が冷却される。
【０００４】
【発明が解決しようとする課題】
上記冷凍装置には、例えば、圧縮機、凝縮器（室外熱交換器）、及び該凝縮器に送風する室外ファンなどを備えたユニットが室外に配置されたものがある（以下、このユニットを室外ユニットという）。
【０００５】
そして、例えば室外ユニットが室外に設置された店舗用の冷蔵庫や冷凍庫あるいはショーケースなどにおいては、庫内の設定温度に合わせて圧縮機や室外ファンの制御を行うため、夜間でも室外ファンの風量が大きくなるなどして、夜間から朝方にかけて、騒音が問題となることがあった。
【０００６】
これに対して、例えば冷凍装置の運転を制御する運転制御手段に時計機能を搭載して時間の認識を可能とし、ある時間からある時間まで（例えば午後１０時から午前８時まで）を夜間から朝方の時間帯と判断して、その時間帯のみは圧縮機や室外ファンの運転を抑えて室外ユニットを静音運転することが考えられる。しかし、その場合には、運転制御手段に時計機能を設けることが必要となるために、コストが高くなってしまうことになる。
【０００７】
本発明は、このような問題点に鑑みて創案されたものであり、その目的とするところは、室外ユニットを設置した冷凍装置において、コストの上昇を抑えながら、室外ユニットから生じる夜間の騒音を低減できるようにすることである。
【０００８】
【課題を解決するための手段】
本発明は、２４時間内の室外温度の変化に基づいて夜間から朝方の時間帯を検知して、その間に運転音を抑制する静音制御を行うようにしたものである。
【０００９】
具体的に、本発明が講じた第１の解決手段は、圧縮機構(21)と室外熱交換器(23)と室外ファン(15)とを有する室外ユニット(11)と、室外温度を検出する室外温度センサ(66)と、各機器を制御する運転制御手段(70)とを備えた冷凍装置を前提としている。そして、運転制御手段(70)がタイマ(71)を有する構成として、所定の時刻を起点とする略２４時間内に、室外温度センサ(66)で検出した温度が所定の基準温度よりも低い時間帯には、運転音を抑制するようにしたものである。
【００１０】
また、この第１の解決手段では、運転制御手段(70)をマイクロプロセッサにより構成すると共に、タイマ(71)を、マイクロプロセッサの発振回路を利用して２４時間を検知可能に構成している。
【００１１】
また、この第１の解決手段では、所定の基準温度を、室外温度センサ(66)の検出温度のデータに基づいて算出された温度としている。
【００１２】
また、本発明が講じた第２の解決手段は、上記第１の解決手段において、所定の基準温度を、タイマ(71)で検出された２４時間内に室外温度センサ(66)により検出した温度から算出された平均温度としたものである。この場合、平均温度の算出の仕方は任意であり、例えば１時間毎の検出温度を２４点のデータとし、その平均値を算出するようにすることなどができる。
【００１３】
また、本発明が講じた第３の解決手段は、上記第２の解決手段において平均値の算出の仕方を特定したものであり、具体的には、所定の基準温度を、タイマ(71)で検出された２４時間内に室外温度センサ(66)により検出した最高温度と最低温度とから算出された平均温度としたものである。
【００１４】
また、本発明が講じた第４の解決手段は、上記第１の解決手段において、所定の基準温度を、運転条件に応じた設定温度としたものである。この場合の設定温度としては、気象データや季節に応じて予め設定した温度などを基準温度とすることができる。
【００１５】
また、本発明が講じた第５ないし第７の解決手段は、上記第１ないし第４の何れか１の解決手段において、運転制御手段(70)による制御対象を特定したものであり、第５の解決手段では、室外ファン(15)を制御して運転音を抑制し、第６の解決手段では圧縮機構(21)を制御して運転音を抑制し、第７の解決手段では室外ファン(15)と圧縮機構(21)とを制御して運転音を抑制するように構成している。
【００１６】
また、本発明が講じた第８の解決手段は、上記第６または第７の解決手段において、室外ユニット(11)内に設けた複数台の圧縮機(22a,22b) から圧縮機構(21)を構成し、運転制御手段(70)を、運転音を抑制する制御を行うときに圧縮機(22a,22b) の運転台数を低減するように構成したものである。
【００１７】
また、本発明が講じた第９の解決手段は、上記第１ないし第８の何れか１の解決手段において、運転制御手段(70)を、最低温度の時刻を起点とする２４時間内で、第１の所定時間の経過前と第２の所定時間の経過後に、検出温度が所定の基準温度（例えば平均温度）よりも低い時間帯には運転音を抑制する制御を行うように構成したものである。
【００１８】
また、本発明が講じた第１０の解決手段は、上記第９の解決手段において、最低温度の時刻を起点として、第１の所定時間を３時間に設定し、第２の所定時間を１４時間に設定したものである。
【００１９】
また、本発明が講じた第１１の解決手段は、上記第９または第１０の解決手段において、運転制御手段(70)を、最低温度の時刻を起点とする２４時間内で、第１の所定時間の経過前と第２の所定時間の経過後に、検出温度が所定の基準温度（例えば平均温度）よりも低い連続した時間帯には運転音を抑制する制御を行うように構成したものである。
【００２０】
−作用−
上記第１の解決手段では、タイマ(71)により所定の時刻を起点とする略２４時間を検出しながら、その略２４時間内に室外温度センサ(66)で検出した温度が所定の基準温度よりも低い時間帯には、運転制御手段(70)によって運転音を抑制する制御が行われる。
【００２１】
つまり、一日のうちで基準温度よりも検出温度が低い時間帯を夜間から朝方と判断して、その時間帯のみ静音制御を行うようにしている。この場合、適切な基準温度を用いることにより、静音制御を行う時間帯を夜間から朝方にかけての時間帯と概ね一致させることが可能となる。
【００２２】
また、この第１の解決手段では、運転制御手段(70)を構成するマイクロプロセッサが有する発振回路により構成されたタイマ(71)で略２４時間が検出され、その略２４時間毎に上記の制御が行われる。
【００２３】
また、この第１の解決手段では、所定の基準温度として室外温度センサ(66)の検出温度のデータに基づいて算出された温度が利用されて、その温度よりも検出温度が低い時間帯に上記制御が行われる。
【００２４】
特に、上記第２及び第３の解決手段では、基準温度として２４時間の平均温度が算出される。そして、所定の時刻を起点とする略２４時間内で検出温度が平均温度よりも低い時間帯には、運転音を抑制する制御が行われる。この場合、一日のうちで平均温度よりも検出温度が低い時間帯を夜間から朝方と判断して、その時間帯のみ静音制御を行うこととなる。なお、起点時刻の設定によっては、前日に検出した温度から求めた平均温度を利用して翌日に静音制御を行うことになるが、その場合でも、平均温度が一日で大きく変化することは殆どないため、翌日に静音制御すべき時間帯が大きくずれてしまうことは概ね防止でき、静音制御を行う時間帯を夜間から朝方にかけての時間帯とほぼ一致させることが可能となる。
【００２５】
また、上記第４の解決手段では、気象データや季節などの条件に応じて予め設定した温度を基準温度として、検出温度がそれよりも低い場合に静音制御が行われる。この場合でも、適切な基準温度を設定することにより、静音制御を行う時間帯を夜間から朝方にかけての時間帯と概ね一致させることが可能となる。
【００２６】
また、上記第５の解決手段では、室外ファン(15)を制御して運転音が抑制され、第６の解決手段では圧縮機構(21)を制御して運転音が抑制され、第７の解決手段では室外ファン(15)と圧縮機構(21)とを制御して運転音が抑制される。
【００２７】
特に、上記第８の解決手段では、室外ユニット(11)内に複数台の圧縮機(22a,22b) を備えている場合に、静音制御時には圧縮機(22a,22b) の稼働台数を減らして運転が行われる。
【００２８】
また、上記第９の解決手段では、検出温度が平均温度などの基準温度よりも低い時間帯であって、かつ最低温度の時を起点として定めた範囲の時間にのみ、静音制御が行われる。
【００２９】
具体的に、上記第１０の解決手段のように、最低温度の時刻から２４時間内で３時間を経過する前と１４時間を経過した後を静音制御する時間帯の検知条件に加えることにより、その検出精度が向上する。つまり、一日の気温は、季節によってある程度異なるが、一般に夜明け頃（午前５時〜午前７時頃）が最低温度になることから、最低温度の時刻に対して上記時間数を特定すれば、毎日ほぼ午後７時〜午後９時頃から午前８時〜午前１０時頃までの間で、検出温度が平均温度などの基準温度よりも低い時間帯が夜間から朝方と判断される。
【００３０】
例えば夏期は冬期よりも夜明けが早いので、午後７時頃から午前８時頃までの間で検出温度が基準温度よりも低い時間帯が検出され、冬期は夏期よりも夜明けが遅いので、午後９時頃から午前１０時頃までの間で検出温度が基準温度よりも低い時間帯が検出される。一般に室外ユニットの静音制御が必要となるのは午後１０時頃〜午前８時頃の間であり、上記第１０の解決手段の２つの条件（検出温度が平均温度などの基準温度よりも低い時間帯を求めることと、その時間帯をさらに最低温度の時刻からの時間数で制限すること）を用いれば、季節に殆ど影響されずに、静音制御の必要な時間帯をほぼ正確に求めることができる。
【００３１】
なお、最低温度の時刻を起点として特定する時間の範囲は、冷凍装置を設置する地域に応じて適宜設定すれば、各地域に応じて、夜間から朝方にかけての時間帯を精度良く検出することができる。
【００３２】
また、上記第１１の解決手段では、静音制御を行う時間帯を所定時間内の連続した時間帯に特定している。したがって、温度変化の仕方によって検出温度が平均温度などの基準温度よりも低い状態が連続せず、一旦上昇した後に検出温度が突発的に基準温度よりも低くなる状態が生じたとしても、そのような場合には夜間の温度低下と考えにくいことから、静音制御の対象外とすることができる。
【００３３】
【発明の効果】
従って、上記第１の解決手段によれば、運転制御手段(70)に時計機能を持たせる必要がなく、時間の経過のみを検出できるタイマ(71)と、室外ユニット(11)が元々有している室外温度センサ(66)とから、静音制御の必要な時間帯を判断できる。そして、これらの手段によって求めた時間帯に静音制御を行うことができるため、コストが高くなるのを抑えながら騒音対策を図ることが可能となる。
【００３４】
特に、運転制御手段(70)のマイクロプロセッサが元々有している発振回路を利用してタイマ(71)を構成しているので、コストの上昇を抑えるのにより効果的である。
【００３５】
また、上記第１ないし第４の解決手段によれば、一日のうちで基準温度よりも検出温度が低い時間帯を夜間から朝方と判断して、その時間帯のみ静音制御を行うようにしている。そしてその所定の基準温度として、平均温度などの算出値や、気象条件などに応じた設定値が用いられるので、必要に応じて適切な基準温度を利用することにより、静音制御を行う時間帯を夜間から朝方にかけての時間帯とほぼ一致させることが可能となる。
【００３６】
また、上記第５ないし第７の解決手段によれば、室外ファン(15)や圧縮機構(21)を制御することにより運転音が抑制される。この場合、室外ファン(15)や圧縮機構(21)を制御して静音運転を行うと、冷凍装置の能力が若干低下するが、静音制御時は、夜間で温度が低下しているために、店舗用の冷蔵庫や冷凍庫などの冷却設備において能力の低下を抑えるのには都合がよい。逆に言えば、静音制御時には、圧縮機構(21)や室外ファン(15)を、冷凍装置の能力の低下が問題とならず、しかも運転騒音が低減されるような範囲で制御するようにすればよい。
【００３７】
また、上記第８の解決手段によれば、夜間に運転する圧縮機(22a,22b) の台数が少なくなることから運転騒音が減少する。例えば、昼間に２台の圧縮機(22a,22b) を運転していたのを夜間に１台だけ運転するようにすれば、圧縮機(22a,22b) に起因する騒音を簡単に半減できる。
【００３８】
また、上記第９の解決手段によれば、検出温度が平均温度などの基準温度よりも低い時間帯で、かつ最低温度の時を起点として定めた範囲の時間のみを検出して、静音制御が行われる。特に、上記第１０の解決手段では最低温度の時を起点とする時間をその時刻から３時間が経過する前と１４時間が経過した後に特定しているので、季節に殆ど関係なく夜間から朝方を精度良く検知できる。したがって、上記第９，第１０の解決手段によれば、能力が必要で騒音が殆ど問題とならない昼間には能力の低下を防止しながら、夜間に静音制御を行う精度を一層高めることが可能となる。
【００３９】
また、上記第１１の解決手段によれば、夜間以外で偶然に検出温度が基準温度よりも低くなったときに静音制御をしてしまうといった誤動作の発生を防止できる。
【００４０】
【発明の実施の形態】
以下、本発明の実施形態を図面に基づいて詳細に説明する。
【００４１】
−冷凍装置の構成−
図１及び図２に示すように、冷凍装置(10)は、コンビニエンスストアに設置されて冷凍庫と冷蔵庫を同時に冷却するためのものである。この冷凍装置(10)は、１つの室外ユニット(11)と、１つのカスケードユニット(12)と、２つの冷蔵ユニット(13a,13b) と、１つの冷凍ユニット(14)とを備えている。
【００４２】
室外ユニット(11)には、高温側の液側連絡管(31)及びガス側連絡管(32)を介して２つの冷蔵ユニット(13a,13b) が接続されている。各冷蔵ユニット(13a,13b) は、室外ユニット(11)に対して互いに並列に接続されている。カスケードユニット(12)は、液側連絡管(31)の途中に設けられている。このカスケードユニット(12)には、低温側の液側連絡管(54)及びガス側連絡管(55)を介して、冷凍ユニット(14)が接続されている。
【００４３】
そして、室外ユニット(11)、カスケードユニット(12)の一部、２つの冷蔵ユニット(13a,13b) 、液側連絡管(31)及びガス側連絡管(32)によって高温側冷媒回路(20)が構成されている。一方、カスケードユニット(12)、冷凍ユニット(14)、液側連絡管(54)及びガス側連絡管(55)によって低温側冷媒回路(50)が構成されている。
【００４４】
上記高温側冷媒回路(20)には、圧縮機構(21)と、室外熱交換器である凝縮器(23)と、キャピラリチューブ(24)と、レシーバ(25)と、冷媒熱交換器(26)と、２つの冷蔵用蒸発器(41a,41b) とが接続されている。このうち、圧縮機構(21)と、凝縮器(23)と、キャピラリチューブ(24)と、レシーバ(25)とは、室外ユニット(11)に設けられている。また、冷媒熱交換器(26)は、カスケードユニット(12)に設けられている。また、冷蔵用蒸発器(41a,41b) は、それぞれ冷蔵ユニット(13a,13b) に設けられている。
【００４５】
上記高温側冷媒回路(20)の圧縮機構(21)は、例えば５馬力の容量を有する第１圧縮機(22a)と４馬力の容量を有する第２圧縮機(22b)とを並列に接続して構成されている。各圧縮機(22a,22b) の吐出側には、それぞれ逆止弁(CV)が設けられている。また、各圧縮機(22a,22b) の吐出側は、凝縮器(23)の入口端に接続されている。各圧縮機(22a,22b) の吸入側は、ガス側連絡管(32)に接続されている。そして、この圧縮機構(21)は、圧縮機(22a,22b) の運転台数を変更することによって容量可変に構成されている。
【００４６】
圧縮機構(21)の吐出側配管には、吐出冷媒温度を検出するための温度センサ(68)と、吐出冷媒圧力を検出するための圧力センサ(65)とが設けられている。なお、後述するコントローラ(70)は、これらの温度センサ(68)及び圧力センサ(65)の検出する吐出冷媒温度及び吐出冷媒圧力により、吐出冷媒の過熱度を検出するように構成されている。
【００４７】
上記凝縮器(23)は、室外空気との熱交換により冷媒を凝縮させるものであり、例えばクロスフィン型の熱交換器により構成されている。室外ユニット(11)には室外ファン(15)が設けられ、この室外ファン(15)によって凝縮器(23)へ室外空気が送られる。この凝縮器(23)の出口端は、キャピラリチューブ(24)を介してレシーバ(25)に接続されている。キャピラリチューブ(24)は、凝縮器(23)からレシーバ(25)へ送られる冷媒を減圧する減圧機構を構成している。また、室外ユニット(11)内には、室外温度を検出する室外温度センサ(66)が設けられている。
【００４８】
上記レシーバ(25)は、縦長の円筒容器状に形成されている。レシーバ(25)の下端部は、冷媒配管(33)を介して液側連絡管(31)に接続されている。この冷媒配管(33)には、レシーバ(25)の出口冷媒の温度を検出する液温センサ(67)と、液側電磁弁(61) とが設けられている。
【００４９】
液温センサ(67)は、レシーバ(25)から流出して冷媒配管(33)を流れる液冷媒の温度を検出することによって、レシーバ(25)内に貯留する液冷媒の温度を検出するためのものである。また、液側電磁弁(61)は、上記吐出温度センサ(68)の検出温度に基づいて開閉され、レシーバ(25)から流出する液冷媒の流量を調節するための調節用開閉機構を構成している。
【００５０】
上記レシーバ(25)は、減圧配管(34)を介して圧縮機構(21)の吸入側に接続されている。具体的に、減圧配管(34)は、一端側がレシーバ(25)の上端部に接続され、他端側が圧縮機構(21)の吸入側に接続されている。この減圧配管(34)には、ガス側電磁弁(62)が設けられている。ガス側電磁弁(62)は、レシーバ(25)を中間圧に保持するため、上記液温センサ(67)の検出温度に基づいて開閉され、減圧用開閉機構を構成している。
【００５１】
上記レシーバ(25)は、ガス側電磁弁(62)の開閉により、減圧配管(34)を介して圧縮機構(21)の吸入側と間欠的に連通する。このため、レシーバ(25)内のガス冷媒が間欠的に圧縮機構(21)へ吸引され、レシーバ(25)の内圧が所定の中間圧に保持される。具体的に、レシーバ(25)の内圧は、凝縮器(23)における冷媒凝縮圧力よりも低く、冷蔵用蒸発器(41a,41b) における冷媒蒸発圧力よりも高い所定の圧力に設定されている。そして、レシーバ(25)は、凝縮器(23)からレシーバ(25)へ流入して貯留された液冷媒を、自己蒸発によって冷却するように構成されている。
【００５２】
上記冷媒熱交換器(26)は、多数の伝熱プレートを積層して形成された、いわゆるプレート式熱交換器により構成されている。この冷媒熱交換器(26)は、一端が室外ユニット(11)側の液側連絡管(31)に接続され、他端が冷蔵ユニット(13a,13b) 側の液側連絡管(31)に接続されている。また、冷媒熱交換器(26)には、低温側冷媒回路(50)が接続されている。そして、この冷媒熱交換器(26)は、いわゆる二元冷凍システムにおけるカスケードコンデンサを構成している。
【００５３】
上記高温側冷媒回路(20)には、バイパス配管(35)が設けられている。このバイパス配管(35)は、２つの冷蔵ユニット(13a,13b) をバイパスするように接続されている。具体的に、バイパス配管(35)は、一端が高温側冷媒回路(20)における冷媒熱交換器(26)の直後に接続され、他端がガス側連絡管(32)に接続されている。また、バイパス配管(35)には、バイパス電磁弁(63)が設けられている。なお、冷蔵ユニット(13a,13b) の両方がサーモオフとなった場合には、バイパス電磁弁(63)は開放され、冷媒熱交換器(26)における冷媒の流通を確保する。
【００５４】
上記高温側冷媒回路(20)のうち冷蔵ユニット(13a,13b) に設けられた部分は、利用側回路(40a,40b) を構成している。各利用側回路(40a,40b) は、一端側が液側連絡管(31)に接続され、他端側がガス側連絡管(32)に接続されている。また、各利用側回路(40a,40b) には、利用側熱交換器である冷蔵用蒸発器(41a,41b) と共に、利用側開閉機構である利用側電磁弁(64a,64b) が設けられている。この利用側電磁弁(64a,64b) は、各利用側回路(40a,40b) における冷蔵用蒸発器(41a,41b) の一端側に設けられている。即ち、各利用側回路(40a,40b) では、一端から他端に向かって順に、利用側電磁弁(64a,64b) と冷蔵用蒸発器(41a,41b) とが配置されている。
【００５５】
上記冷蔵用蒸発器(41a,41b) は、冷蔵庫の庫内空気との熱交換により冷媒を蒸発させるものであり、例えば、凝縮器(23)と同様にクロスフィン型の熱交換器により構成されている。各冷蔵ユニット(13a,13b) には、それぞれ冷蔵庫内ファン(16a,16b) が設けられ、この冷蔵庫内ファン(16a,16b) によって冷蔵用蒸発器(41a,41b) へ冷蔵庫内の庫内空気が送られる。
【００５６】
このように、本実施形態の冷媒回路では、冷蔵用蒸発器(41a,41b) の前に膨張機構を設ける代わりに利用側電磁弁(64a,64b) を設け、この利用側電磁弁(64a,64b) の開閉動作を繰り返すことにより冷媒を減圧するようにしている。そして、各冷蔵ユニット(13a,13b) に、それぞれ、第１温度センサ(Th-A1,Th-A2) 、第２温度センサ(Th-B1,Th-B2) 、吸込風温センサ(Th-C1,Th-C2) 及び吹出風温センサ(Th-D1,Th-D2) を設け、これらの検出値に基づいて、後述のコントローラ(70)で利用側電磁弁(64a,64b) の開閉動作を制御するようにしている。
【００５７】
第１温度センサ(Th-A1,Th-A2) は、冷蔵用蒸発器(41a,41b) の伝熱管に対し、該伝熱管の入口端寄りに位置して取り付けられている。この第１温度センサ(Th-A1,Th-A2) は、冷蔵用蒸発器(41a,41b) における冷媒蒸発温度を検出するためのものである。第２温度センサ(Th-B1,Th-B2) は、利用側回路(40a,40b) における冷蔵用蒸発器(41a,41b) の下流側に取り付けられている。吸込風温センサ(Th-C1,Th-C2) は、庫内空気の通路に設けられて、冷蔵用蒸発器(41a,41b) に供給される庫内空気の温度を検出する。吹出風温センサ(Th-D1,Th-D2) は、庫内空気の通路に設けられて、冷蔵用蒸発器(41a,41b) を通過した後の庫内空気の温度を検出する。尚、上記各温度センサとしては、サーミスタが用いられている。
【００５８】
なお、このように利用側電磁弁(64a,64b) を開閉して冷媒を減圧することは、本願出願人の発明者らの創案によるものであり、その具体的な内容について、本願出願人は既に出願をしている（特願２０００−０３３４１５号参照）。本実施形態では、制御の具体的な説明は省略するものとする。
【００５９】
一方、上記低温側冷媒回路(50)は、圧縮機(51)と、冷媒熱交換器(26)と、膨張弁(52)と、冷凍用蒸発器(53)とが接続されている。このうち、圧縮機(51)と、冷媒熱交換器(26)と、膨張弁(52)とは、カスケードユニット(12)に設けられている。また、冷凍用蒸発器(53)は、冷凍ユニット(14)に設けられている。
【００６０】
上記低温側冷媒回路(50)では、圧縮機(51)の吐出側が冷媒熱交換器(26)の一端に接続されている。冷媒熱交換器(26)の他端は、膨張弁(52)に接続されている。膨張弁(52)は、液側連絡管(54)を介して冷凍用蒸発器(53)の入口端に接続されている。冷凍用蒸発器(53)の出口端は、ガス側連絡管(55)を介して圧縮機(51)の吸入側に接続されている。
【００６１】
上記冷凍用蒸発器(53)は、凝縮器(23)と同様に、例えばクロスフィン型の熱交換器により構成されている。この冷凍用蒸発器(53)は、冷凍庫の庫内空気との熱交換により冷媒を蒸発させるものである。冷凍ユニット(14)には冷凍庫内ファン(17)が設けられ、この冷凍庫内ファン(17)によって冷凍用蒸発器(53)へ冷凍庫内の庫内空気が送られる。
【００６２】
上記冷凍装置(10)には、コントローラ(70)が設けられている。このコントローラ(70)は、上述したように各利用側回路(40a,40b) の利用側電磁弁(64a,64b) を開閉操作することにより、膨張弁を用いずに、該利用側電磁弁(64a,64b) が高温側冷媒回路(20)における冷媒の膨張手段を構成するようにしている。
【００６３】
また、上記コントローラ(70)は、マイクロプロセッサにより構成されて各機器を制御する運転制御手段として構成されている。このコントローラ(70)は、マイクロプロセッサが本来備えている発振回路を利用して２４時間を検知するように構成されたタイマ(71)を含んでいる。そして、このタイマ(71)で検出された２４時間内に室外温度センサ(66)により検出した最高温度と最低温度とから２４時間毎に平均温度（基準温度）を算出する一方、最低温度の時刻を起点とするほぼ２４時間内（ほぼ２４時間としているのは、最低温度の時刻が日々変動するため）で検出温度が平均温度よりも低い時間帯に、室外ファン(15)と圧縮機構(21)またはその一方を制御して運転音を抑制するように構成されている。
【００６４】
コントローラ(70)は、室外ユニット(11)内に設けられた２台の圧縮機(22a,22b) が共に運転されている場合で、運転音を抑制する静音制御を行うときには、圧縮機(22a,22b) の運転台数を低減することができるように構成されている。
【００６５】
また、コントローラ(70)は、タイマ設定による２４時間内で最低温度の時刻を起点として、第１の所定時間である３時間の経過前と、第２の所定時間である１４時間の経過後に、検出温度が平均温度よりも低い時間帯に運転音を抑制する制御を行うように構成されている。
【００６６】
−冷媒回路の冷凍サイクル動作−
上記冷凍装置(10)の運転動作について説明する。まず始めに、冷蔵ユニット(13a,13b) 及びカスケードユニット(12)の双方を運転させる冷凍冷蔵運転の動作について説明し、その後に、冷蔵ユニット(13a,13b) の運転を停止してカスケードユニット(12)を運転させる冷凍運転の動作について説明する。
【００６７】
＜冷凍冷蔵運転＞
先ず、高温側冷媒回路(20)における動作について、図１及び図３を参照しながら説明する。図３は、高温側冷媒回路(20)における冷凍サイクルを、モリエル線図(圧力−エンタルピ線図)上に表したものである。尚、図３及び図１に付したＡ〜Ｊの符号は、それぞれ対応している。
【００６８】
圧縮機構(21)の圧縮機(22a,22b) には、点Ａの状態の冷媒が吸入される。点Ａの冷媒は、圧縮機(22a,22b) により圧縮され、点Ｂの状態となって吐出される。点Ｂの冷媒は、凝縮器(23)へ送られる。凝縮器(23)では、冷媒が室外空気との熱交換により放熱し、凝縮して点Ｃの状態となる。
【００６９】
点Ｃの状態の冷媒は、キャピラリチューブ(24)で減圧された後にレシーバ(25)へ流入する。ここで、コントローラ(70)によりガス側電磁弁(62)が間欠的に開閉され、レシーバ(25)は圧縮機構(21)の吸入側と間欠的に連通する。そして、キャピラリチューブ(24)における減圧と、ガス側電磁弁(62)の開閉動作とによって、点Ｃの冷媒は減圧されて点Ｄの状態となる。レシーバ(25)では、点Ｄの冷媒が、点Ｅの状態の液冷媒と、点Ｉの状態のガス冷媒とに分離される。
【００７０】
点Ｅの状態の冷媒は、冷媒配管(33)及び液側連絡管(31)を通じて、冷媒熱交換器(26)へ送られる。冷媒熱交換器(26)では、高温側冷媒回路(20)の冷媒と低温側冷媒回路(50)の冷媒との熱交換が行われる。そして、この熱交換によって点Ｅの冷媒が低温側冷媒回路(50)の冷媒から吸熱し、その一部が蒸発して点Ｆの状態となる。
【００７１】
点Ｆの状態の冷媒は、各冷蔵ユニット(13a,13b) の利用側回路(40a,40b) に分配される。各利用側回路(40a,40b) では、点Ｆの冷媒が利用側電磁弁(64a,64b) を通過して冷蔵用蒸発器(41a,41b) へ送られる。その際、各利用側電磁弁(64a,64b) は、コントローラ(70)の制御動作によって開閉操作されている。従って、冷蔵用蒸発器(41a,41b) に対して、間欠的に冷媒が供給される。そして、利用側電磁弁(64a,64b) を開閉操作することによって点Ｆの冷媒が減圧され、点Ｇの状態となる。尚、利用側電磁弁(64a,64b) に小口径のものを採用し、利用側電磁弁(64a,64b) の通過時においてもある程度の冷媒の減圧作用を得るようにしてもよい。
【００７２】
なお、上記コントローラ(70)は、所定の制御動作を行い、冷蔵用蒸発器(41a,41b) の出口で冷媒が飽和蒸気となるように、各利用側回路(40a,40b) の利用側電磁弁(64a,64b) を開閉操作する。その際、コントローラ(70)の制御動作は、各利用側回路(40a,40b) の運転状態に応じて、各利用側電磁弁(64a,64b) に対して個別に行われる。
【００７３】
点Ｇの状態の冷媒は冷蔵用蒸発器(41a,41b) へ送られる。冷蔵用蒸発器(41a,41b) では、冷媒が冷蔵庫の庫内空気から吸熱して蒸発し、点Ｈの状態となる。点Ｈの状態において、冷媒は飽和蒸気となっている。そして、点Ｈの状態の冷媒が、圧縮機構(21)の吸入側へ送られる。
【００７４】
一方、レシーバ(25)で分離された点Ｉの状態のガス冷媒は、ガス側電磁弁(62)の開閉操作によって減圧され、点Ｊの状態となる。そして、点Ｊの状態の冷媒が、圧縮機構(21)の吸入側へ送られる。ここで、圧縮機構(21)には、点Ｈの冷媒と点Ｊの冷媒とが送り込まれることとなる。従って、圧縮機構(21)は、点Ｈの冷媒と点Ｊの冷媒とを混合してなる点Ａの状態の冷媒を吸入する。高温側冷媒回路(20)では、以上のサイクルを繰り返して冷凍サイクル動作を行う。
【００７５】
次に、低温側冷媒回路(50)における動作について説明する。
【００７６】
低温側冷媒回路(50)の圧縮機(51)から吐出された冷媒は、冷媒熱交換器(26)へ送られる。上述のように、冷媒熱交換器(26)は、カスケードコンデンサを構成している。そして、冷媒熱交換器(26)では、低温側冷媒回路(50)の冷媒が高温側冷媒回路(20)の冷媒と熱交換を行い、放熱して凝縮する。凝縮した冷媒は、膨張弁(52)で減圧された後に、冷凍用蒸発器(53)へ送られる。冷凍用蒸発器(53)では、冷媒が冷凍庫の庫内空気と熱交換して蒸発する。蒸発した冷媒は、圧縮機(51)に吸入され、再び圧縮されてこのサイクルを繰り返す。
【００７７】
＜冷凍運転＞
冷凍運転の際には、冷蔵ユニット(13a,13b) の利用側電磁弁(64a,64b) は閉鎖され、バイパス配管(35)のバイパス電磁弁(63)は開放される。そして、上記冷凍冷蔵運転と同様に、圧縮機構(21)から吐出された冷媒は凝縮器(23)で凝縮し、キャピラリーチューブ(24)で減圧され、レシーバ(25)には中間圧の気液二相冷媒が貯留される。レシーバ(25)は、減圧配管(34)のガス側電磁弁(62)の開閉制御により減圧される。レシーバ(25)の下端部から流出した液冷媒は、冷媒熱交換器(26)を介して低温側冷媒回路(50)の冷媒と熱交換を行い、蒸発する。蒸発した冷媒は、冷蔵ユニット(13a,13b) を経由することなく、バイパス配管(35)を通じて圧縮機構(21)の吸入側に吸入される。そして、低温側冷媒回路(50)では上述した冷凍冷蔵運転と同様の作用で冷媒が循環し、冷凍庫内が冷却される。
【００７８】
＜液側電磁弁、ガス側電磁弁、及びバイパス電磁弁の制御＞
ここで、上記コントローラ(70)が、液側電磁弁(61)、ガス側電磁弁(62)及びバイパス電磁弁(63)に対して行う制御動作について簡単に説明する。
【００７９】
コントローラ(70)による液側電磁弁(61)の制御動作は、吐出温度センサ(68)の検出温度に基づいて行われる。具体的に、コントローラ(70)は、液側電磁弁(61)の開放と閉鎖を所定の時間間隔で繰り返している。そして、吐出温度センサ(68)の検出温度が所定値を超えると、液側電磁弁(61)を開いた状態に保持する時間(開放時間)を延長する。この状態では、圧縮機構(21)が吸入するガス冷媒の過熱度が大きくなっていると考えられる。従って、冷媒熱交換器(26)及び冷蔵用蒸発器(41a,41b) で蒸発させ得る冷媒量に対し、レシーバ(25)から冷媒熱交換器(26)及び冷蔵用蒸発器(41a,41b) へ送られる冷媒量が過少と判断できる。そこで、液側電磁弁(61)の開放時間を延長し、レシーバ(25)から流出する液冷媒量の増大を図る。
【００８０】
コントローラ(70)によるガス側電磁弁(62)の制御動作は、液温センサ(67)の検出温度に基づいて行われる。具体的に、液温センサ(67)の検出温度が２０℃以上となるとガス側電磁弁(62)を開く一方、液温センサ(67)の検出温度が１２℃以下となるとガス側電磁弁(62)を閉じる。そして、コントローラ(70)は、上記のガス側電磁弁(62)の操作により、レシーバ(25)に貯留する液冷媒の温度を概ね１５℃に維持するようにしている。ここで、レシーバ(25)内の液冷媒温度が低くなりすぎると、レシーバ(25)内で液冷媒と冷凍機油とが分離してしまう。このため、レシーバ(25)内の液冷媒温度を所定値に維持し、液冷媒に冷凍機油が溶け込んだ状態に保持して、レシーバ(25)への冷凍機油の溜まり込みを回避している。
【００８１】
更に、コントローラ(70)は、バイパス電磁弁(63)に対する制御動作も行う。具体的に、冷蔵ユニット(13a,13b) の運転中には、バイパス電磁弁(63)を閉じたままに保持する。一方、２つの冷蔵ユニット(13a,13b) が同時にサーモオフした場合には、バイパス電磁弁(63)の開閉を所定の時間間隔で繰り返す。つまり、両冷蔵ユニット(13a,13b) の利用側電磁弁(64a,64b) が閉鎖された状態ではバイパス電磁弁(63)の開閉を行い、冷媒熱交換器(26)における冷媒の流通を確保する。
【００８２】
なお、これらの電磁弁(61,62,63)の制御も本願の発明者らの創案によるものであり、より具体的な制御内容は、特願２０００−３３３６３号において既に出願している。
【００８３】
−夜間静音制御−
次に、本実施形態の特徴とする夜間静音制御について、図４から図７に示したフローチャートを参照して説明する。
【００８４】
本実施形態では、上述したように、コントローラ(70)のマイクロプロセッサが備えている発振回路を利用して２４時間のタイマ(71)を設定している。そして、このタイマ(71)により検出された２４時間内の室外温度の変化に基づいて夜間から朝方の時間帯を判断して、その間に運転音を抑制する静音制御を行う。
【００８５】
具体的に、コントローラ(70)は、上記タイマ(71)で検出される２４時間毎に最高温度と最低温度を検出すると共に、その２４時間の平均温度を算出する。
【００８６】
最低温度の検出は、図４のフローチャートにしたがって常時行われている。つまり、ステップST１において、室外温度センサ(66)により検出した室外温度（図４では今回データとしている）が、それまでの最低温度Ｔmin よりも小さいかどうかを判断している。その検出温度が最低温度Ｔmin よりも小さい場合は、ステップST２で最低温度Ｔmin を更新し、ステップST３でタイマＴｏをスタートさせる。また、ステップST１での判別の結果、検出温度が最低温度Ｔmin よりも小さくないと判断した場合は、このフローチャートの動作を再度行うためにステップST１の判別を繰り返す。
【００８７】
また、最高温度の検出は、図５のフローチャートにしたがって常時行われている。つまり、ステップST１１において、室外温度センサ(66)により検出した室外温度が、それまでの最高温度Ｔmax よりも大きいかどうかを判断している。その検出温度が最高温度Ｔmax よりも大きい場合、ステップST１２で最高温度Ｔmax を更新する。また、ステップST１１での判別の結果、検出温度が最高温度Ｔmax よりも大きくないと判断した場合は、このフローチャートの動作の開始点に戻って再度ステップST１１の判別を繰り返す動作を行う。
【００８８】
以上の検出を行いながら２４時間が経過すると、その２４時間に検出した最高温度Ｔmax と最低温度Ｔmin から、図６のフローチャートに基づいて平均温度Ｔave を求める。つまり、平均温度Ｔave は、ステップST２１において最高温度Ｔmax と最低温度Ｔmin の和を２で除して求められる。
【００８９】
このようにして、最高温度Ｔmax 、最低温度Ｔmin 、そして平均温度Ｔave を求めると、図７のフローチャートに示した静音運転制御の動作を実行する。静音運転制御は、室外ファン(15)と圧縮機構(21)の一方または両方を制御して、運転音を抑制する制御として行われる。静音制御時に、室内ファン(15)は風量を低減する制御が行われ、圧縮機構(21)は、圧縮機(22a,22b) の稼働台数を減らして運転が行われる。
【００９０】
まず、ステップST３１で、図４のステップST３のタイマスタートからの時間を判別する。つまり、タイマＴｏをスタートしてから、経過時間が３時間以内であるかどうかを判別する。そして、３時間が経過するまではステップST３２へ進んで静音運転を実行し、さらにステップST３３へ進んで、図６で算出した平均温度Ｔave とそのときの検出温度とを比較する。そして、そのときの検出温度が平均温度Ｔave 以上であれば、３時間が経過する前であってもステップST３４において静音運転を終了する。また、ステップST３３で検出温度が平均温度Ｔave よりも低いと判断すると、静音運転を継続したままステップST３１へ戻る。
【００９１】
一方、ステップST３１でタイマスタートから３時間を既に経過していると判断したときは、ステップST３５においてタイマスタートから１４時間以上が経過しているかどうかを判別する。そして、まだ１４時間が経過していない場合は、ステップST３６で静音運転を終了してステップST３１の判別動作に戻る。
【００９２】
また、ステップST３５で既に１４時間が経過したと判断するとステップST３７へ進み、そのときの検出温度が平均温度Ｔave よりも低いかどうかを判別する。そして、検出温度が平均温度Ｔave よりも低いとステップST３８で静音運転を開始してステップST３１へ戻る一方、検出温度が平均温度Ｔave よりも高いと静音運転を終了する。
【００９３】
以上の説明から明らかなように、本実施形態では、２４時間毎に最低温度Ｔmin と最高温度Ｔmax と平均温度Ｔave を求めながら、最低温度Ｔmin の時刻を起点として３時間後から１４時間後までの時間帯を除く時間帯で、しかも検出温度が前日の平均温度Ｔave よりも低い時間帯にのみ静音運転を行うようにしている。
【００９４】
具体的に、最低温度Ｔmin の時刻が午前５時〜午前７時頃とすると、それから３時間を経過するか、検出温度が平均温度Ｔave を上回るまでは、まだ早朝であると判断して静音運転が継続される。また、最低温度Ｔmin の時刻から３時間を経過する（午前８時から午前１０時頃になる）と早朝の時間帯をすぎたと判断し、上記最低温度Ｔmin の時刻から１４時間が経過する（午後７時から午後９時頃になる）までは騒音が問題にならないものとして静音運転を行わないようにしている。
【００９５】
一方、１４時間を経過した後に検出温度が前日の平均温度Ｔave を下回ると、静音運転を開始する。つまり、午後７時から午後９時以降で温度が充分に低下すると、静音運転の必要な時間帯であると判断する。
【００９６】
なお、図７のフローチャートでは、タイマスタートから３時間経過前と１４時間経過後に検出温度と平均温度Ｔave の高低関係が逆転すると静音運転の開始と停止が切り換えられるが、そのような動作を避けるため、検出温度が偶発的に高くなったり低くなったりした場合には静音運転の開始と停止を切り換えない制御をしてもよい。具体的には、タイマスタートから３時間経過前と１４時間経過後で、検出温度が平均温度Ｔave などの基準温度よりも低い連続した時間帯にのみ静音制御を行うとよい。
【００９７】
−実施形態の効果−
このように、本実施形態では、前日の最高温度Ｔmax と最低温度Ｔmin とから平均温度Ｔave を算出し、その平均温度Ｔave と室外の検出温度とを常時比較しながら、静音運転が必要かどうかを判断している。したがって、運転制御手段(70)に時計機能を持たせる必要がなく、運転制御手段(70)のマイクロプロセッサが元々有している発振回路と、室外ユニット(11)が一般に有している室外温度センサ(66)とから静音制御を行うことができるため、コストが高くなるのを抑えながら夜間の騒音対策を図ることが可能となる。
【００９８】
なお、圧縮機構(21)や室外ファン(15)を制御して静音運転を行うと、冷凍装置(10)の能力が若干低下するが、静音制御時は夜間で温度が低下しているために、特に上記実施形態で説明したような冷蔵庫や冷凍庫などの冷却設備において能力の低下を抑えるのには都合がよい。この場合、静音制御時には、圧縮機構(21)や室外ファン(15)を、能力の低下が問題とならず、しかも運転騒音が低減されるような範囲で制御するようにすればよい。
【００９９】
また、夜間の静音制御時に、２台の圧縮機(22a,22b) のうちの１台のみを運転するようにすると圧縮機(22a,22b) に起因する騒音を半減できる。
【０１００】
また、検出温度が平均温度Ｔave よりも低い時間帯で、しかも最低温度Ｔmin の時を起点として３時間経過前と１４時間経過後の範囲のみで静音制御が行われるようにしているので、能力が必要で騒音が殆ど問題とならない昼間には能力の低下を防止しながら、夜間から朝方にかけて静音制御を確実に行うことが可能となる。
【０１０１】
【発明のその他の実施の形態】
本発明は、上記実施形態について、以下のような構成としてもよい。
【０１０２】
例えば、上記実施形態に係る冷凍装置(10)は２元式冷凍装置であるが、本発明の適用対象は１元式の冷凍装置であってもよい。また、高温側冷媒回路(20)の冷蔵ユニット(13a,13b) の個数は複数に限らず、一つであってもよいし、冷蔵ユニット(13a,13b) を２つ設ける代わりに、冷蔵ユニットと空調機の室内機とを例えば１台ずつ設けるようにしてもよい。さらに、上記実施形態では、低温側冷媒回路(50)を構成する冷凍ユニット(14)を１つだけ設けるようにしたが、この冷凍ユニットを複数設けるようにしてもよい。
【０１０３】
また、上記実施形態では、冷蔵ユニット(13a,13b) の蒸発器(41a,41b) の前に利用側電磁弁(64a,64b) を設けて冷媒を減圧するようにしているが、利用側電磁弁(64a,64b) の代わりに膨張弁を用いた一般的な冷凍サイクルの回路構成としてもよい。以上のように、本発明では冷媒回路の具体的な構成は任意に変更可能であり、冷媒回路は必要に応じて適宜構成したものでよい。
【０１０４】
さらに、上記実施形態では、最低温度Ｔmin の時間から３時間経過前と１４時間経過後を静音運転の条件としているが、この時間を条件とせず、単に検出温度が前日の平均温度Ｔave よりも低いことだけを条件として静音運転を行うようにしてもよい。その場合、静音運転を行う時間帯の検出精度は若干低下するものの、概ね必要な時間帯での騒音の防止を図ることは可能である。なお、上記の設定時間である３時間と１４時間は、冷凍装置を設置する地域などに応じて適宜調整することができる。
【０１０５】
また、上記実施形態では、タイマ(71)としてマイクロプロセッサの有する発振回路を利用しているが、時間の経過のみを検出できるタイマであれば使用可能であり、その場合に時間そのものを認識する時計機能は不要となるため、コスト上昇を抑えることができる。
【０１０６】
また、上記実施形態では、平均温度Ｔave を検出温度と比較する基準温度としているが、基準温度は平均温度Ｔave に限らず、気象条件や季節などの条件に応じて設定した温度データとしてもよい。また、平均温度Ｔave とする場合でも、最高温度Ｔmax と最低温度Ｔmin の平均温度Ｔave に限らず、１日のうちに何度か測定した温度データを平均したものとしてもよい。
【０１０７】
また、上記実施形態において圧縮機(22a,22b) の制御をする場合には運転台数を減らすようにしているが、例えばインバータ制御により回転数を低減させて運転音を抑制するようにしてもよい。
【図面の簡単な説明】
【図１】  本発明の実施形態に係る冷凍装置における高温側冷媒回路の配管系統図である。
【図２】  本発明の実施形態に係る冷凍装置における低温側冷媒回路の配管系統図である。
【図３】  図１の高温側冷媒回路での冷凍サイクルを示すモリエル線図である。
【図４】  最低温度の検出動作を示すフローチャートである。
【図５】  最高温度の検出動作を示すフローチャートである。
【図６】  平均温度の算出動作を示すフローチャートである。
【図７】  静音運転制御の動作を示すフローチャートである。
【符号の説明】
(10)      冷凍装置
(11)      室外ユニット
(12)      カスケードユニット
(13a,13b) 冷蔵ユニット
(14)      冷凍ユニット
(15)      室外ファン
(20)      高温側冷媒回路
(21)      圧縮機構
(22a,22b) 圧縮機
(23)      凝縮器（室外熱交換器）
(26)      冷媒熱交換器(カスケードコンデンサ)
(41a,41b) 冷蔵用蒸発器(蒸発器)
(50)      低温側冷媒回路
(66)      室外温度センサ
(70)      コントローラ(運転制御手段)
(71)      タイマ
【図１】
0003800918.tif 000002
【図２】
0003800918.tif 000003
【図３】
0003800918.tif 000004
【図４】
0003800918.tif 000005
【図５】
0003800918.tif 000006
【図６】
0003800918.tif 000007
【図７】
0003800918.tif 000008